(57)【要約】【課題】装置の買い換え等の置き換え時のための、ユーザの使用環境に即した製品スペックを提示し、ユーザに相応しい新機種の選定を支援することが可能にする画像形成装置を提供する。【解決手段】用紙への画像形成に関する使用履歴と、自装置の製品スペックデータとに基づいて、自装置に代わる新機種導入の際の指標となる推奨スペックデータを演算結果として決定し、決定された推奨スペックデータを出力する。【選択図】  図１２
2007196485.tif 000002
【特許請求の範囲】
【請求項１】
画像を用紙上に形成する画像形成装置であって、
画像形成に関する使用履歴と、自装置の製品スペックデータとを記憶する記憶手段と、
前記使用履歴と前記製品スペックデータとに基づいて、自装置に代わる新装置導入の際の指標となる推奨スペックデータを決定するスペック決定手段と、
決定された推奨スペックデータを出力する出力手段と
を備えることを特徴とする画像形成装置。
【請求項２】
さらに、表示画面を備え、
前記出力手段は、決定された推奨スペックデータを前記表示画面上に表示する
ことを特徴とする請求項１に記載の画像形成装置。
【請求項３】
さらに、決定された推奨スペックデータをデータベース形式に変換する変換手段を備える
ことを特徴とする請求項１または２に記載の画像形成装置。
【請求項４】
前記製品スペックデータ及び推奨スペックデータは、それぞれ機能を示す項目と、各項目毎のパラメータ情報を含んでおり、
前記スペック決定手段は、自装置の製品スペックデータ内における所定機能の項目のパラメータが原因となって適切な画像形成が実現できていないと判断した場合に、前記所定機能に対応する推奨スペック内の項目のパラメータを格上げする
こと特徴とする請求項１から３のいずれかに記載の画像形成装置。
【請求項５】
前記製品スペックデータ及び推奨スペックデータは、それぞれ機能を示す項目と、各項目毎のパラメータ情報を含んでおり、
前記スペック決定手段は、自装置の製品スペックデータ内における所定の機能の項目のパラメータが高いにも関わらず、当該所定の機能が有効に利用されていないと判断した場合に、前記所定機能に対応する推奨スペック内の項目のパラメータを格下げする
こと特徴とする請求項１から４のいずれかに記載の画像形成装置。
【請求項６】
さらに、自装置の置き換え時期到来を検出し、この時期が到来したときを前記出力のタイミングと決定するタイミング決定手段を備える
ことを特徴とする請求項１から５のいずれかに記載の画像形成装置。
【請求項７】
前記タイミング決定手段は、自装置のトラブル発生を検出した場合を、前記タイミングと決定する
ことを特徴とする請求項６に記載の画像形成装置。
【請求項８】
前記タイミング決定手段は、自装置における消耗品の消尽を検出した場合を、前記タイミングと決定する
ことを特徴とする請求項６に記載の画像形成装置。
【請求項９】
前記タイミング決定手段は、自装置の寿命が末期と検出した場合を、前記タイミングと決定する
ことを特徴とする請求項６に記載の画像形成装置。
【請求項１０】
前記使用履歴は、自装置の総印刷枚数を含み、
前記タイミング決定手段は、前記総印刷枚数に基づいて、寿命を検出する
ことを特徴とする請求項９に記載の画像形成装置。
【請求項１１】
前記使用履歴は、用紙の印刷枚数に関する履歴を含む
ことを特徴とする請求項１から１０のいずれかに記載の画像形成装置。
【請求項１２】
前記使用履歴は、総印刷枚数、カラー／モノクロの各プリント枚数、文字文書／写真文書の各プリント枚数、カラー/モノクロの平均連続印字枚数、各解像度設定での印字枚数、各用紙種類での印字枚数、割付印刷の指示回数、画像データの用紙サイズの使用回数、インターフェイス経由の別とその枚数、マニュアル両面モードでの印字枚数、両面印字枚数、所定時間あたりの出力枚数平均値の少なくとも１つ以上を含んでいる
こと特徴とする請求項１から１０のいずれかに記載の画像形成装置。
【請求項１３】
画像形成装置と、ホームサーバとを備えたホームサーバシステムであって、
画像形成装置は、
画像を用紙上に形成する画像形成手段と、
用紙への画像形成に関する使用履歴と、自装置の製品スペックデータとを記憶する記憶手段と、
前記使用履歴と前記製品スペックデータとに基づいて、自装置に代わる新装置導入の際の指標となる推奨スペックデータを決定するスペック決定手段と、
決定された推奨スペックデータを出力する出力手段と、を備え、
ホームサーバは、
出力された推奨スペックデータに基づいて検索クエリを作成する検索作成手段と、
作成された検索クエリをネットワークを介して実在する製品のスペックに関するデータベースを備える検索サーバに送信し、当該検索サーバから検索結果としての実在する製品情報を受信する送受信手段と、
を備えることを特徴とするホームサーバシステム。
【請求項１４】
画像形成装置と、ホームサーバとを備えたホームサーバシステムであって、
画像形成装置は、
画像を用紙上に形成する画像形成手段と、
用紙への画像形成に関する使用履歴と、自装置の製品スペックデータとを記憶する記憶手段と、
前記使用履歴と前記製品スペックデータとに基づいて、自装置に代わる新装置導入の際の指標となる推奨スペックデータを決定するスペック決定手段と、
決定された推奨スペックデータを出力する出力手段と、を備え、
ホームサーバは、
ネットワークを介してデータベースサーバから実在する製品のスペックデータを受信する受信手段と、
前記出力された推奨スペックデータと、前記実在する製品のスペックデータとを比較する比較手段と、
比較結果を出力する比較結果出力手段と、
を備えることを特徴とするホームサーバシステム。
【請求項１５】
前記データベースサーバは、製品のメーカーサイトを運営するサーバであること
を特徴とする請求項１４に記載のホームサーバシステム。
【請求項１６】
前記受信手段は、前記メーカーサイト内のスペックデータの更新の有無を監視し、更新が有れば、更新分を受信すること
を特徴とする請求項１５に記載のホームサーバシステム。
【請求項１７】
前記推奨スペックデータは、機能を示す項目と、各項目毎のパラメータ情報を含んでおり、
前記ホームサーバは、さらに、前記比較手段による比較に先立って、比較に用いる推奨スペックデータの項目一覧を表示し、ユーザから比較に使用するか否かの選択を受け付ける比較対象受付手段を備えること
を特徴とする請求項１４から１６のいずれかに記載のホームサーバシステム。
【請求項１８】
画像を用紙上に形成する画像形成手段を備える画像形成装置における新製品提案方法であって、
用紙上に画像が形成されると、用紙への画像形成に関する使用履歴を更新する更新ステップと、
前記使用履歴と、自装置の製品スペックとに基づいて、自装置に代わる新装置導入の際の指標となる推奨スペックデータを決定するスペック決定ステップと、
決定された推奨スペックデータを出力する出力ステップと
を含むことを特徴とする画像形成装置における新製品提案方法。
【発明の詳細な説明】
【技術分野】
【０００１】
本発明は、画像形成装置、ホームサーバシステム、画像形成装置における新製品提案方法に関し、特に装置の置き換えの際に、適切なスペックの選定を支援する技術に関する。
【背景技術】
【０００２】
画像形成装置の中には、用紙に印字する処理を行う度に、印字枚数、印字した用紙サイズ等を使用履歴として記憶するものがある。
特許文献１においては、係る使用履歴を一定期間間隔で外部に通知にする構成が開示されており、より効率の良いサービスの運用を行えるとしている。
【特許文献１】特開2002-262006号公報
【特許文献２】特開2002-56296号公報
【特許文献３】特開2000-347544号公報
【発明の開示】
【発明が解決しようとする課題】
【０００３】
ユーザが画像形成装置を置き換える（買い換える）際には、その使用環境に相応しい製品仕様（スペック）を選択できることが好ましい。
上記した画像形成装置が記憶する使用履歴を参照し、過去の使用環境に応じた製品仕様を決定することも不可能ではない。
しかし、既存製品の使用履歴から置き換えるべき製品の望ましいスペックを決定するには、一定レベル以上の画像形成装置に関する知識が必要であり、一般的なユーザの多くはそれ程の知識を持ち合わせていないのが現状である。
【０００４】
係る一般的なユーザが、その使用環境からするとオーバースペックな製品を選定すると、ユーザは製品の機能を発揮させて使用することができない上、通常、スペックの高い製品は高額であるため、ユーザは無駄な出費をしてしまうこととなる。
反対に、ユーザが使用環境からするとスペック不足な新製品を選定してしまうと、ユーザが予期しない不便さに直面する事態も考えられる。
【０００５】
本発明は上述の問題に鑑みてなされたものであって、ユーザに対して、その使用環境に即したスペックを提示し、ユーザに相応しい製品の選定を支援することが可能な画像形成装置などを提供することを目的とする。
【課題を解決するための手段】
【０００６】
上記目的を達成するために、本発明に係る画像形成装置は、画像を用紙上に形成する画像形成装置であって、画像形成に関する使用履歴と、自装置の製品スペックデータとを記憶する記憶手段と、前記使用履歴と前記製品スペックデータとに基づいて、自装置に代わる新装置導入の際の指標となる推奨スペックデータを決定するスペック決定手段と、決定された推奨スペックデータを出力する出力手段とを備えることを特徴としている。
【０００７】
また、本発明に係るホームサーバシステムは、画像形成装置と、ホームサーバとを備えたホームサーバシステムであって、画像形成装置は、画像を用紙上に形成する画像形成手段と、用紙への画像形成に関する使用履歴と、自装置の製品スペックデータとを記憶する記憶手段と、前記使用履歴と前記製品スペックデータとに基づいて、自装置に代わる新装置導入の際の指標となる推奨スペックデータを決定するスペック決定手段と、決定された推奨スペックデータを出力する出力手段と、を備え、ホームサーバは、ネットワークを介してデータベースサーバから実在する製品のスペックデータを受信する受信手段と、前記出力された推奨スペックデータと、前記実在する製品のスペックデータとを比較する比較手段と、比較結果を出力する比較結果出力手段と、を備えることを特徴としている。
【０００８】
また、本発明に係る画像形成装置における新製品提案方法は、画像を用紙上に形成する画像形成手段を備える画像形成装置における新製品提案方法であって、用紙上に画像が形成されると、用紙への画像形成に関する使用履歴を更新する更新ステップと、前記使用履歴と、自装置の製品スペックとに基づいて、自装置に代わる新装置導入の際の指標となる推奨スペックデータを決定するスペック決定ステップと、決定された推奨スペックデータを出力する出力ステップとを含むことを特徴としている。
【発明の効果】
【０００９】
課題を解決するための手段に記載した構成によれば、使用履歴と前記製品スペックとに基づいて新装置導入の際の指標となる推奨スペックデータを決定し、出力するので、例えば買い換えやレンタル品の交換により装置を置き換えようとするユーザに対して、その使用環境に適したスペックの案内をすることが可能となる。
また、さらに、表示画面を備え、前記出力手段は、決定された推奨スペックデータを前記表示画面上に表示することを特徴とする。
【００１０】
この構成によれば、ユーザは、表示された推奨スペックデータを製品購入の際の参考にすることができる。
また、さらに、決定された推奨スペックデータをデータベース形式に変換する変換手段を備えることを特徴とする。
この構成によれば、データベース形式のデータは扱いやすいので、例えば検索フォームや検索クエリの作成に簡単に利用することができる。
【００１１】
また、前記製品スペックデータ及び推奨スペックデータは、それぞれ機能を示す項目と、各項目毎のパラメータ情報を含んでおり、前記スペック決定手段は、自装置の製品スペックデータ内における所定機能の項目のパラメータが原因となって適切な画像形成が実現できていないと判断した場合に、前記所定機能に対応する推奨スペック内の項目のパラメータを格上げすること特徴とする。
【００１２】
この構成によれば、例えば、スペック不足であるのに装置を酷使しがちであったユーザに対して、その使用環境により適した格上げ（アップグレード）した推奨スペックを提案することが可能となる。
また、前記製品スペックデータ及び推奨スペックデータは、それぞれ機能を示す項目と、各項目毎のパラメータ情報を含んでおり、前記スペック決定手段は、自装置の製品スペックデータ内における所定の機能の項目のパラメータが高いにも関わらず、当該所定の機能が有効に利用されていないと判断した場合に、前記所定機能に対応する推奨スペック内の項目のパラメータを格下げすること特徴とする。
【００１３】
この構成によれば、例えば、過度にオーバースペックな装置を使用していたユーザに対して、その使用環境により適した格下げ（ダウングレード）した推奨スペックを提案することが可能となる。スペックの格下げは、置き換え費用の削減につながるため、ユーザの出費を削減することができる。
また、さらに、自装置の置き換え時期到来を検出し、この時期が到来したときを前記出力のタイミングと決定するタイミング決定手段を備えることを特徴とする。
【００１４】
また、前記タイミング決定手段は、自装置のトラブル発生を検出した場合を、前記タイミングと決定することを特徴とする。
トラブル発生時には、ユーザが買い換えを思い立つことがあるので、この構成によれば、好機にユーザに対して推奨スペックを提案することができる。
また、前記タイミング決定手段は、自装置における消耗品の消尽を検出した場合を、前記タイミングと決定することを特徴とする。
【００１５】
消耗品の消尽は、ユーザの買い換えを誘発するので、この構成によれば、好機にユーザに対して推奨スペックを提案することができる。
また、前記タイミング決定手段は、自装置の寿命が末期と検出した場合を、前記タイミングと決定することを特徴とする。
この構成によれば、例えば、寿命が尽きると予測される時点より前の時期に、ユーザに対して推奨スペックを表示することで、ユーザに置き換えを促し製品の置き換えが円滑になることを期待できる。また、今まで使用していた装置が急に使用できなくなりユーザの作業が中断するような事態を回避できる。
【００１６】
また、前記使用履歴は、自装置の総印刷枚数を含み、前記タイミング決定手段は、前記総印刷枚数に基づいて、寿命を検出することを特徴とする。
また、前記使用履歴は、用紙の印刷枚数に関する履歴を含むことを特徴とする。
また、前記使用履歴は、総印刷枚数、カラー／モノクロの各プリント枚数、文字文書／写真文書の各プリント枚数、カラー/モノクロの平均連続印字枚数、各解像度設定での印字枚数、各用紙種類での印字枚数、割付印刷の指示回数、画像データの用紙サイズの使用回数、インターフェイス経由の別とその枚数、マニュアル両面モードでの印字枚数、両面印字枚数、所定時間あたりの出力枚数平均値の少なくとも１つ以上を含んでいること特徴とする。
【００１７】
また、本発明に係るホームサーバシステムは、画像形成装置と、ホームサーバとを備えたホームサーバシステムであって、画像形成装置は、画像を用紙上に形成する画像形成手段と、用紙への画像形成に関する使用履歴と、自装置の製品スペックデータとを記憶する記憶手段と、前記使用履歴と前記製品スペックデータとに基づいて、自装置に代わる新装置導入の際の指標となる推奨スペックデータを決定するスペック決定手段と、決定された推奨スペックデータを出力する出力手段と、を備え、ホームサーバは、出力された推奨スペックデータに基づいて検索クエリを作成する検索作成手段と、作成された検索クエリをネットワークを介して実在する製品のスペックに関するデータベースを備える検索サーバに送信し、当該検索サーバから検索結果としての実在する製品情報を受信する送受信手段と、を備えることを特徴とする。
この構成によれば、ホームサーバにおいて、推奨スペックデータを用いた検索結果としてフィルタリングされた実在する製品情報を取得することができる。このため、ユーザは直接的に購入すべき推奨製品を知ることができ好適である。
また、本発明に係るホームサーバシステムは、画像形成装置と、ホームサーバとを備えたホームサーバシステムであって、画像形成装置は、画像を用紙上に形成する画像形成手段と、用紙への画像形成に関する使用履歴と、自装置の製品スペックデータとを記憶する記憶手段と、前記使用履歴と前記製品スペックデータとに基づいて、自装置に代わる新装置導入の際の指標となる推奨スペックデータを決定するスペック決定手段と、決定された推奨スペックデータを出力する出力手段と、を備え、ホームサーバは、出力された推奨スペックデータに基づいて検索クエリを作成する検索作成手段と、作成された検索クエリをネットワークを介して実在する製品のスペックに関するデータベースを備える検索サーバに送信し、当該検索サーバから検索結果としての実在する製品情報を受信する送受信手段と、を備えることを特徴とする。
【００１８】
また、前記データベースサーバは、製品のメーカーサイトを運営するサーバであることを特徴とする。
また、前記受信手段は、前記メーカーサイト内のスペックデータの更新の有無を監視し、更新が有れば、更新分を受信することを特徴とする。
この構成によれば、最新の実在製品の製品スペックデータを比較手段による比較に用いることができ、ユーザにいわゆる型落ちの古い製品を推奨するような事態を回避できる。
【００１９】
また、前記推奨スペックデータは、機能を示す項目と、各項目毎のパラメータ情報を含んでおり、前記ホームサーバは、さらに、前記比較手段による比較に先立って、比較に用いる推奨スペックデータの項目一覧を表示し、ユーザから比較に使用するか否かの選択を受け付ける比較対象受付手段を備えることを特徴とする。
【発明を実施するための最良の形態】
【００２０】
以下、本実施の形態について図面を参照しながら説明する。
（実施の形態１）
図１は、実施の形態１に係るホームサーバシステム等の機能構成を示す図である。
ホームサーバシステム１０は、プリンタ１００、ホームサーバ２００、モニタ３０１、オーディオ機器３０２を備えている。各装置はネットワークを介して接続されている。
【００２１】
プリンタ１００は、ネットワークＩ／Ｆ部１１０、表示パネル部１２０、ファイル形式変換部１３０、エンジン制御部１４０、画像処理部１５０、推奨スペック決定部１６０、記憶部１７０を有している。
ネットワークＩ／Ｆ部１１０は、ＮＩＣ（Network Interface Card）を含んで構成され、プリンタ１００外部の装置とデータの送受信を行う。
【００２２】
操作パネル部１２０は、表示を行うと共に操作入力を受け付けるタッチパネルと、押しボタンキーとを含んでいる。
ファイル形式変換部１３０は、ファイルフォーマット（形式）を変換する機能ブロックである。
エンジン制御部１４０は、プリンタ１００の動作を統括的に制御する。
【００２３】
画像処理部１５０は、画像処理を行う機能ブロックであり、用紙の印字などの画像形成を行う。
推奨スペック決定部１６０は、記憶部１７０に記憶された使用履歴データ１７１及び製品スペックデータ１７２に基づいて推奨スペックを決定する。
使用履歴カウント部１６２は、画像形成が実行される度に、画像形成に関する使用履歴カウントし、使用履歴データ１７１を更新をする。
【００２４】
タイミング決定部１６４は、推奨スペック決定部１６０の動作タイミング及び推奨スペックの表示タイミングを決定する。
記憶部１７０は、使用履歴データ１７１、製品スペックデータ１７２、プリンタ内部データ１７３、推奨スペックデータ１７４を記憶している。
使用履歴データ１７１は、プリンタ１００が過去に実行した用紙の印字の内容の履歴データである。
【００２５】
製品スペックデータ１７２は、プリンタ１００のスペックに関するデータである。
プリンタ内部データ１７３は、プリンタの設定内容や消耗品の寿命データなどのプリンタ１００内部の各種データを含んでいる。
推奨スペックデータ１７４は、置き換えるべき新たな製品の望ましいスペックに関するデータである。
【００２６】
ホームサーバ２００は、家電製品の動作制御、オーディオ機器３０２で使用する音楽データなどの家電製品で使用するデータのストレージなどを行うものであり、図示しないOS上で動作するWEBブラウザ２１０と、検索クエリ生成手段２２０とを備えている。
検索クエリ生成手段２２０は、CSV形式のデータに基づいてプリンタ検索サイト用の検索クエリを生成する。
【００２７】
モニタ３０１は、例えば19型の液晶モニタであり、ユーザに対して表示を行う。
次に、使用履歴データの内容と、このデータが記憶される仕組みについて説明する。
図２,図３は、記憶された使用履歴データ１７１を示すテーブルである。
図２に示すように、使用実績データの各項目は、次の通りである。
総印字枚数（A1）…プリンタ１００においてプリントされた総印字枚数
モノクロ（カラー）印字枚数（A2,A3）・・・モノクロ（カラー）プリントされた総プリント枚数
文字文書の印字枚数（A4）・・・文字文書としてプリンタされた総印字枚数
写真文書の印字枚数（A5）・・・写真または文字・写真混合文書としてプリンタされた総印字枚数
カラー連続印字回数（A6-A10）・・・カラーでN枚転連続プリントされた回数
モノクロ連続印字回数（A11-A15)・・・モノクロでN枚転連続プリントされた回数
600(1200)dpiでの印字枚数(A16,A17)・・・解像度設定600(1200)dpiでの総印字枚数
各用紙種類、各用紙サイズ、各印字枚数(A18-A29)・・・用紙種類（普通紙、厚紙、封筒、OHPの種類）、各用紙サイズの総印字枚数
各割付印刷指示回数（A30-A33）・・・割付設定（割付印刷とは、用紙節約等のために、一枚の用紙に、複数枚の原稿を印刷することである。）した回数
各画像データサイズの出力印字枚数(A34-A36)・・・印字前、電子データの画像サイズ毎の総印字枚数
USB（ネットワーク）経由によるプリンタ枚数(A37-A38）・・・各Ｉ／Ｆ経由での総印字枚数
マニュアル画面指示での両面印字枚数(A39)・・・マニュアル画面印字モード（両面印刷ユニットを備えないプリンタにおいてなされる両面印字であり、用紙をユーザに手動でセットさせるモード）を使用した状態での両面印字枚数
両面印字枚数(A40)・・・両面印字(Dup)の枚数
所定時間あたりの印字枚数(A41)・・・最初のプリント開始から所定時間（１ｈ）内の印字枚数の平均値
稼働時間(A42)・・・プリンタ１００の総稼働時間（ｈ）
図４は、使用履歴データの記録処理を示すフローチャートである。係る記録処理は、エンジン制御部１４０によって行われる。
【００２８】
印字スタートを判断すれば(S101:Yes)、印字すべき枚数分だけ総印字枚数(項目番号A1)をインクリメントする（S102）。
モノクロー／カラーの種別、文字／写真の種別をプリンタドライバの設定データから判断し、対応する項目（項目番号A2,A3,A4,A5）をインクリメントする（S103,S104）。
連続印字であれば（S105:Yes）、連続印字の対応する項目（項目番号A6-A15）をインクリメントする（S106)。
【００２９】
残りの項目（項目番号A16-A42）についても同様に、各値を更新する（S107)。
図５は、製品スペックデータ１７２を示すテーブルである。
製品スペックデータ１７２の各項目は、次の通りである。
カラー印字速度(B1)・・・カラー文書のプリント速度
モノクロ印字速度(B2)・・・モノクロ文書のプリント速度
印刷方式（タンデム／４サイクル）(B3)・・・カラー機の場合、タンデム方式か４サイクル方式
Ｉ／Ｆ（インターフェイス）の種類(B4)・・・搭載されたＩ／Ｆの種類、イーサネット（登録商標）（無線ＬＡＮ対応の有無も含む。）、USB等
消費電力値（B5)・・・各モード（最大時、節電モード時等）の消費電力値
両面ユニット接続（可／不可）(B6)・・・両面ユニット接続の可・不可
増設カセット接続（可／不可）(B7)・・・増設カセット接続の可・不可
フィニッシャ接続（可／不可）(B8)・・・フィニッシャ接続の可・不可
カラー機／モノクロ機(B9)・・・カラー機かモノクロ機か
＊＊紙印刷(B10-B12)・・・各用紙メディア（普通紙、OHP等）使用の可・不可
プリンタ外径寸法（縦:B13、横:B14、奥行き:B15)・・・カタログ掲載の外形寸法
解像度（600dpi/1200dpi）(B16)・・・使用可能な解像度設定
A4機／A3機(B17)・・・A４対応機かA３対応機(A4用紙に加えてA3用紙にも対応する機種）か
これら製品スペックデータ１７２の各項目の値は、基本的には、継続的な使用にもかかわらず製品使用開始時から不変なものである。
【００３０】
次に、推奨スペック決定部１６０が使用履歴データ１７１及び製品スペックデータ１７２に基づいて、推奨スペックデータを決定する処理内容について説明する。
図６は、推奨スペックデータ決定の処理内容を示すフローチャートである。
カラー／モノクロ推奨決定処理(S200)、４サイクル／タンデム，スループット推奨決定処理(S300)、A4機／A3機対応推奨決定処理（S400)、残りの項目の推奨（推奨値）決定処理（S500）が順に行われる。
【００３１】
図７は、カラー／モノクロ推奨決定処理のサブルーチンを示すフローチャートである。
現機種のカラー／モノクロ対応がカラー機(項目番号B9の値がカラー）であり（S201:カラー機）、モノクロ印字割合が一定以上[A2/A1≧α1(α1は例えば90%）]ならば（S202:Yes)、モノクロ機の推奨を決定する（S203）。推奨としては、現状のカラー機からモノクロ機へと格下げされることとなる。これは、現機種のプリンタがカラー機であるにも関わらず、モノクロ印字の全体に対する割合が大半でカラー印字を有効に活用しておらず無駄にハイスペックであったと考えられ、現状のままの高価なカラー機を推奨するよりも、比較的安価なモノクロ機を推奨することがユーザの利益になるからである。
【００３２】
これに対して、モノクロ印字割合が一定値未満(A2/A1＜α1)ならば（S202:No)、カラー機の推奨を決定する（S204）。
現機種のカラー／モノクロ対応がモノクロ機(項目番号B9の値がモノクロ）であり（S201:モノクロ機）、写真文書割合が一定値以上（A5/A4≧α2）であれば(S205:Yes)、カラー機を推奨の決定する（S204）。多くの写真文書を印刷しているにも関わらず、現状の機種ではモノクロ印刷しかできないため、鮮明な印刷ができず、適切な画像形成が実現できていない状態にある。このため、ユーザの使用環境によってはスペック不足であったと言え、現状のモノクロ対応の機種からカラー対応へとスペックアップする（格上げする）ことが、より適切な画像形成の実現が期待でき、好ましいからである。
【００３３】
なお、ステップS205においては、写真文書の総印字枚数に対する割合A5/A1を判断基準としても構わない。
図８は、４サイクル／タンデム，スループット推奨決定処理のサブルーチンを示すフローチャートである。
現機種がモノクロ機（B9の値がモノクロ）または、モノクロ機推奨と決定されているのであれば（S301:Yes）、モノクロ文書連続印字枚数の代表値NがT1分以内に処理できる印字速度（N/T1）をモノクロスループットの推奨として決定する（S302）。ここでいう代表値Nとは、例えば、A11〜A15の中で最も回数の多い連続印字回数とその１回あたりの連続印字枚数との積である。例えば、項目番号A11〜A15の中で項目番号A12の連続印字回数が150回と最も多い場合には、項目番号A12の１回あたりの連続印字枚数は２枚であるからN=150*2=300となる。そして、T1=20の場合には、モノクロスループットの推奨値は、300/20=15枚／分となる。
【００３４】
カラー文書連続印字枚数の代表値Nが、推奨モノクロスループットの1/4以上であれば（S303:Yes)、タンデムを推奨とし、カラースループットはモノクロスループットと同値の推奨と決定する（S304）。
1/4以上であれば（S303:No)、４サイクルを推奨とし、カラースループットはモノクロスループットの1/4を推奨値と決定する（S305）。
【００３５】
また、現機種がカラー機で、かつカラー機推奨と決定されているのであれば（S301:No）、ステップS306に移行し、カラー枚数がモノクロ枚数以上(A3≧A2）であれば（S306:Yes)、カラー文書連続印字枚数の代表値NがT1分以内に処理できる印字速度（N/T1）をカラースループットの推奨として決定する（S307）。
モノクロ文書連続印字枚数の代表値Nが、推奨カラースループットの値以下であれば（S308:Yes)、タンデムを推奨とし、モノクロスループットはカラースループットと同値の推奨と決定する（S309）。
【００３６】
値以下でなければ（S308:No)、４サイクルを推奨とし、モノクロスループットはカラースループットの4倍を推奨値と決定する（S310）。
図８のフローチャートの判断は次のような価値基準に基づいている。
すなわち、タンデム方式は一度に４色(シアン、マゼンタ、イエロー、ブラック)分の画像を転写・定着できるので、１色ずつ印刷する４サイクル方式に比べて、カラーの高速(４倍速程度）印刷が実現できる。もっとも、タンデム方式は４サイクル方式に比べて高価であるため、現機種の単位時間あたりのカラー文書連続印字枚数が少ない場合には、安価な４サイクル方式で十分であると考えられる。
【００３７】
図９は、A4機／A3機対応推奨決定処理のサブルーチンを示すフローチャートである。
現機種がA4対応（B17の値がA4）であり（S401:A4機)、割付印刷指示回数2-upが一定回数以上（A31≧α3）であれば（S402:Yes）、A3機を推奨と決定する（S403）。
一定回数未満であれば（S402:No）、A4機を推奨と決定する（S404)。
現機種がA3対応（B17の値がA3）であり（S401:A3機)、A3用紙の出力枚数が一定枚数未満であれば（S405：Yes）、A3対応の機能を活用していないと判断し、A4機を推奨と決定する（S404）。
【００３８】
A3用紙の出力枚数が一定枚数以上であれば（S405：No）、現状と同じくA3機を推奨と決定する（S403）。
図１０，図１１は、他の項目の推奨決定処理のサブルーチンを示すフローチャートである。
ステップS501-S505は、解像度推奨決定処理である。
【００３９】
現機種の解像度が600/1200dpi両対応（B16の値が600/1200dpi）であって（S501:600/1200dpi両対応）、1200dpi指示での印字枚数が一定枚数以上（A17≧α5）ならば（S502:Yes）、600/1200dpiを推奨と決定する（S503）。
一定枚数未満ならば（S502:No)、600dpiを推奨と決定する（S504）。
現機種の解像度が600dpiにのみに対応（B16の値が600dpi）していて（S501:600dpiのみ）、写真文書または写真混合文書出力比率が一定以上（A5/A4≧α6）でないならば（S505:No）、600dpiを推奨と決定する（S504）。
【００４０】
一定以上ならば（S505:Yes）、写真文書に適した高い解像度の方が良いことから、600/1200dpiを推奨と決定する（S503）。
ステップS511-S514は、OHP対応の推奨決定処理である。
現機種がOHP対応（B11の値が可）していて（S511:OHP可）、OHP出力枚数が一定枚数以上（A27〜A29≧α7）ならば（S512:Yes)、OHP可を推奨と決定し（S513)、一定枚数以下ならば（S512:No）、OHP不可を推奨と決定する（S514）。
【００４１】
現機種のOHP対応が不可（B11の値が不可）であるならば、ステップS514に移行し、OHP不可を推奨と決定する（S514）。なお、この場合、ユーザに対して設定画面を表示し、ユーザからOHP対応の選択を受け付けるようにしても構わない。
ステップS521-S525は、両面ユニット対応の推奨決定処理である。
現機種が両面ユニットに対応（B6の値が可）してして（S521:Yes)、両面印字枚数が一定数以上（A40≧α9）であれば（S522:Yes)、両面ユニット可を推奨と決定する（S523）。
【００４２】
一定数未満であれば（S522:No)、両面ユニット不可を推奨と決定する（S524）。
現機種が両面ユニット非対応（B6の値が不可）で（S521:不可)、マニュアル画面指示での印字枚数が一定枚数以上（A39≧α8）であれば（S525：Yes)、両面ユニット可を推奨と決定する（S523）。
一定枚数未満であれば（S525：No)、両面ユニット不可を推奨と決定する（S524）。
【００４３】
ステップS531-S533は、増設カセット対応の推奨決定処理である。
所定時間（1h）あたりの印字枚数が一定数以上（A41≧α10）であれば（S531:Yes)、増設カセット可を推奨と決定する（S532)。一定数未満であれば（S531:No)、増設カセット不可を推奨と決定する（S533）。
ステップS541は、インターフェイスの推奨決定処理である。
【００４４】
各Ｉ／Ｆ経由での印字枚数で一定以上のもの（A37,A38≧α11）を推奨と決定する。
図１２は、推奨スペックデータ１７４の各項目に関する演算関係と、各項目のユーザ設定とを示すテーブルである。
図１２のテーブルにおいて、「推奨スペックデータの項目」は、推奨決定の対象となる項目である。「履歴データ」及び「製品スペックデータ」は推奨値決定の演算に用いるデータであり、これらのデータから推奨値が決定されるルーチンについては、図６〜図１１のフローチャートを用いて説明した通りである。
【００４５】
図１２のテーブルの右部は、ユーザカスタマイズ項目であり、ユーザから受け付けた設定内容を示している。「ユーザ設定」の項目は、スペックデータの各項目についてユーザから受け付けたものであり、その設定は演算結果より優先的に扱われる。「検索条件として扱うか」の項目も、演算結果より優先的に扱われることとなる。この検索条件については後述する。
【００４６】
なお、ユーザの要望や嗜好に応じることができるように、カスタマイズ項目として、プリンタの販売価格帯、設置面積、外形寸法、消費電力、メーカ名などを受け付けて後述する検索条件に反映させるとしても構わない。
推奨スペックが決定された後はユーザに対してその旨を表示する。図１３に、操作パネル部１２０における決定された推奨スペックの表示画面を示す。
【００４７】
このように本実施の形態によれば、ユーザに対して、その使用環境に即した推奨スペックを表示することが可能となる。なお、推奨スペックの表示は、モニタ３０１上で行っても構わない。
画像形成装置は自動車やTV等とは異なり、ユーザが製品を試運転・試用する機会があることは少なく、ユーザはスペックを勘案して製品カタログから購入する機種を決めることが多い。このため、ユーザが自己の使用環境に適したスペックを知るということは、ユーザにとって間違いのない製品購入のための絶大な支援となる。
【００４８】
続いて、ファイル形式変換部１３０が実行する推奨スペックデータ１７４の変換処理と、変換されたデータを価格比較サイトの検索フォームとして用いる処理等について説明する。
図１４は、ファイル形式変換部１３０が実行する推奨スペックデータ１７４の変換処理を示す模式図である。
【００４９】
図１４に示すように、ファイル形式変換部１３０は、推奨スペック決定部により決定（生成）された推奨スペックデータを、扱いやすいCSV(Comma Separated Values)形式に変換する。なお、図中においては理解の便宜のため、実体がテキスト形式のCSV形式データを、各項目毎にチェックボックスに印を付ける形で表している。変換されたCSV形式データは、要求に応じてホームサーバ２００に転送される。
【００５０】
図１５は、WEBブラウザ２１０によりモニタ３０１に表示されたプリンタ検索サイト４００の表示画面を示す図である。
図１５のアドレスバー４１０に示す、ドメイン名konicaminolta-spec-search.com（架空のドメイン名である。）は、価格比較サイト[ASP(Application Service Provider)で記述されている。]であり、このプリンタ検索サイト４００のウェブサーバは、実在する製品の製品毎のスペック、製品の販売店毎の価格、販売店毎の製品の在庫情報等をデータベースとして備えており、サイトのコンテンツとして製品のスペック検索、販売店毎の価格比較、在庫状況の表示を含んでいるものある。
【００５１】
WEBブラウザは、いわゆるお気に入り（ブックマーク）としてプリンタ検索サイト４００のURLを記憶しており、係るサイト表示は上記お気に入りを呼び出すことにより行われたものである。
図１５に示すように、ウインドウ内には、スペック項目設定として、カラー／モノクロのスピンボックス４２０、タンデム方式／４サイクル方式のスピンボックス４２２、対応用紙サイズA3/A4のスピンボックス４２４が表示されている。また、印字速度のボックス４３０と、両面ユニットと増設カセットの有無のためのチェックボックス４４０，４４２が表示されている。
【００５２】
さらに、ユーザ設定の項目として、販売価格、設置面積、消費電力のボックス４３２，４３４，４３６が表示されている。
これらの項目の値は、変更可能であるため、自動的に決定された推奨スペックをユーザは自己の好みで修正（カスタマイズ）することができ、ユーザの意図に沿う検索が可能となる。
【００５３】
「検索する」のボタン４５０が、ユーザにより押下されると、プリンタ検索サイトに検索要求が送信され、検索結果が表示される。従って、ユーザは、推奨スペックデータに合った実存する製品の機種を特定し、さらには当該機種の値段帯（最安値）を知ることが可能となる。
なお、スペックなどの入力項目はユーザの手間を省くため、ホームサーバ２００の検索クエリ作成手段２２０において、上記CSV形式のデータから自動的に検索クエリを生成し、検索に用いても構わない。さらに、ホームサーバの記憶部またはプリンタ１００の記憶部１７０に検索結果を保存しておいても構わない。
【００５４】
（推奨スペックの表示時期について）
画像装置が買い換えられる契機は、（１）特に動作に問題なくてもユーザが使い勝手の悪さを感じたとき、（２）装置のトラブル発生時、（３）消耗品の消尽時、の大きく３つの場合である。
この３つの内では、（２）の場合が最も多く、トラブルの発生がユーザに買い換えへの強力な動機を与えると考えられる。特にユーザ自身では修理できないような深刻な故障発生時などのトラブル発生時を、推奨スペック決定の動作タイミングと決定して、ユーザに対して最適なスペックを表示する事、さらには、実存する最適な製品を表示することが好適である。
【００５５】
このようなトラブルの発生時に買い換えをする場合には、新製品に置き換えるまでは画像形成装置が稼働しない時間が発生し、ユーザの作業に支障をきたす可能性があることから早急に買い換える必要があろう。焦燥感にかられたユーザは、特に最適なスペックを選定することが著しく困難であるため、トラブル発生のタイミングで推奨スペックの表示を行うことは好適である。
【００５６】
また、（３）の場合についても同様である。消耗品（例えばトナー）が消尽した場合、トナーを買い足す位なら新しい装置を買おうと考えるユーザが多いと予想されるからである。
さらに、製品の寿命末期検出時を表示タイミングとしてもよい。係る検出は、タイミング決定部１６４で、使用履歴データ１７１の総印字枚数（項目番号A1）や稼働時間（項目番号A42）を監視し、閾値を超えた場合を寿命末期とすることで実現できる。係る構成によれば、製品の寿命が尽きる前に、ユーザに新製品への買い換えを促すことができ、製品の寿命尽きて装置が動作せずユーザの作業が中断することを回避できる。
【００５７】
（推奨製品の自動表示について）
図１５を用いた説明では、プリンタサイト４００での検索実行をユーザが手動で行う場合を説明しているが、係る検索実行は自動的に行い、単にスペックを表示するのではなく直接的に推奨する製品を表示する構成でも構わない。
ユーザによっては、推奨スペックから製品を選定することに、煩いを感じたり、スペックについてほとんど知識を持ち合わせていないことも考えられるからである。
【００５８】
図１６は、この直接的に推奨する製品を表示する例を示し、モニタ３０１の表示画面を示す図である。画面内には、「おすすめ買い換え機種」としてプリンタ３１０の画像と、その最安価格、メーカー名、型番などが表示されている。係る画面表示は、ホームサーバ２００が、検索クエリ生成手段２２０で検索クエリを作成し、この検索クエリを、ＷＥＢブラウザ２１０を介してプリンタ検索サイト４００に送信し、得られた検索結果を取得することによってなされたものである。
【００５９】
なお、「今すぐ買う」ボタン３１２は、販売店の購入画面のリンク情報に対応しており、「次候補」リンク３１４は検索結果の次順表示へのリンク情報に対応している。
（実施の形態２）
実施の形態１では、推奨スペックデータを用いて、プリンタ検索サイト４００に実在する最適製品の特定を依頼する構成であったが、実施の形態２では、ユーザに適した実在する製品の特定処理を、ホームサーバ３００で行う構成である。
【００６０】
実施の形態２は、他の基本的な構成は、実施の形態１と同様であるため、重複する部分の説明は省略する。
図１７は、実施の形態２に係るホームサーバシステム等の機能構成を示す図であり、実施の形態１の図１に対応する図である。図１と同一の機能ブロックには、同一の符号を付して説明を省略する。
【００６１】
ホームサーバ２００は、ＷＥＢブラウザ２１０、スペック比較部２３０、ファイル形式変換部２４０、製品スペック記憶部２５０を備えている。
WEBブラウザ２１０は、RSS(RDF Site Summary,Rich Site SummaryまたはReally Simple Syndication)リーダがプラグインとして組み込まれており、また、お気に入りとして各社メーカサイトの製品スペック表示ページのURLを記憶している。
【００６２】
スペック２３０比較部は、プリンタにおいて求められた推奨スペックデータ１７４と、プリンタメーカーサイト５００から受信（取得）された実在する製品のスペック情報を比較し、比較結果に基づいて実在する製品を購入候補として特定する。
スペック抽出部２５０は、WEBブラウザ２１０が受信したプリンタメーカーサイト５００のデータから、実在する製品のスペックデータを抽出する。
【００６３】
ファイル形式変換２４０部は、スペック抽出部２５０により抽出されたスペックデータをデータベース形式に変換する。
実在製品スペック記憶部２６０は、ファイル形式変換部２４０により変換されたデータベース形式のスペックデータを記憶する。
図１８、図１９、図２０は、ホームサーバ２００が実行する処理を示すフローチャートである。
【００６４】
ホームサーバ２００はＷＥＢブラウザ２１０を介して、プリンタメーカーサイト５００にアクセスし(S611）、サイトからスペックデータを抽出する(S612)。この抽出は、サイト５００上のスペックデータの特定のタグ[例えばXML(eXtensible Markup Language)形式]をフィルタリングすることで行う。
次に、抽出した実存製品のスペックデータをデータベース形式(csv形式）に変換し、記憶する(S613)。
【００６５】
スペックサーチ対象項目があれば（S620:Yes)、スペック比較処理(S630)に移行する。このスペック比較処理の開始タイミングは、ユーザから操作パネル部１２０を介して要求があったときや、タイミング決定部１６４が決定したときである。
スペック比較処理では、スペック対象項目Nのスペックを推奨スペックデータから抽出し（S631)、同様に実在製品スペックデータからも対応する項目Nを抽出する(S632)。そして、対象項目Nのスペックを比較し(S633)、スペックサーチ対象項目が全て比較完了すると(S634:Yes)、比較結果をメモリに格納する。
【００６６】
ステップS633におけるスペックサーチ対象項目毎の比較方法は次の通りである。
カラー/モノクロ・・・新製品スペックのカラー/モノクロと、推奨スペックのカラー/モノクロが一致すれば「一致」。
４サイクル／タンデム・・・新製品スペックの４サイクル／タンデムと、推奨スペックの４サイクル／タンデムが一致すれば「一致」。
【００６７】
印字速度（スループット）・・・新製品スペックのカラースループット≧推奨スペックのカラースループット、かつ、新製品スペックのモノクロスループット≧推奨スペックのモノクロスループットを満たせば「一致」。
解像度・・・新製品スペックのdpi値≧推奨スペックのdpi値ならば「一致」。
用紙サイズ・・・新製品スペック(A3,A4,...)に推奨スペック(A4...)が含まれていれば「一致」。
【００６８】
使用メディア・・・新製品スペック(普通紙，厚紙,...に推奨スペック（OHP,...)が含まれていれば「一致」。
Ｉ／Ｆの種類・・・新製品スペック（ＬＡＮ，パラレル,...）に推奨スペック(USB,...）が含まれていれば「一致」。
オプション・・・新製品スペック(両面印刷対応,...）に推奨スペック(両面印刷対応,...）が含まれていれば「一致」。
【００６９】
なお、ステップS631〜S634は、実在製品スペック記憶部２６０が記憶する各々の実在製品スペックデータについて行われる。
比較処理を終えると、比較結果で「一致」の項目が多かった一致度の高い実在製品情報を表示する（S640）。なお、全ての項目の条件を満たした実在製品情報だけに絞り込んで表示しても構わない。
【００７０】
また、比較処理を実行する前に、よりユーザの要望に沿う検索を行うために、予めスペックサーチ対象となる項目の設定をユーザから受け付ける構成としても構わない。図２１は、プリンタの操作パネル上の表示画面を示す図である。図２１の表示画面において、色、現像方式、用紙サイズ、印字速度、両面印字などの各項目は、「Yes」「No」ボタンにより対象とするか否かの選択が可能である。
【００７１】
（プリンタメーカーサイト５００とWEBブラウザ２１０の構成について）
次に、プリンタメーカーサイト５００の構成と、このサイト５００からWEBブラウザがデータ２１０を取得する仕組みについて簡単に説明する。
図２２は、プリンタメーカーサイト５００の表示画面を示す図である。
プリンタメーカーサイト５００は、アドレスバー５１０のURLから明らかなように、プリンタメーカであるkonicaminoltaの製品スペックの一覧を示すWEBサイトである。
【００７２】
このWEBサイト上の画面には、RSSマーク５２０が付されているように、RSS2.0に対応している。このためRSSリーダ機能を搭載しているWEBブラウザは、例えば60分といった所定間隔でサイト５００にアクセスして、サイト５００が更新されたかどうかを絶えず監視し、更新された場合には更新分を取得することが可能である。
従って、最新の実在製品の製品スペックを上述の比較処理に反映させることができ、ユーザにいわゆる型落ちの古い製品を推奨するような事態を回避できる。
（その他）
（１）実施の形態においてホームサーバ２００に行わせた演算処理や表示処理は、プリンタ１００で行っても構わない。もっとも、通常プリンタは、ホームサーバと比べると演算能力や記憶能力に優れていないことが多いため、ホームサーバで行わせることが好ましい。
【００７３】
（２）本発明に係る画像処理装置は、ユーザに対して製品の置き換えを提案する新製品提案方法として適用することもできる。
上記新製品提案方法は、プログラムにより実現可能である。係るプログラムは、例えば、磁気テープ、フレキシブルディスク等の磁気ディスク、ＤＶＤ、ＣＤ−ＲＯＭ、ＣＤ−Ｒ、ＭＯなどの光記録媒体、スマートメディア（Smart Media（登録商標））、コンパクトフラッシュ（登録商標）（compact flash：登録商標）などのフラッシュメモリ系記録媒体等、ＰＣが読み取り可能な各種記録媒体に記録することが可能であり、当該記録媒体の形態で生産、譲渡等がなされる場合もあるし、インターネットを含む有線、無線の各種ネットワーク、放送、電気通信回線、衛星通信等を介して伝送、供給される場合もある。
【００７４】
（３）実施の形態においては、データベース形式の一例としてCSV形式を挙げたが、ファイル形式変換部１３０においてデータベース用ソフトAccess（商標）対応のmdb形式に変換する構成としても構わない。
（４）実施の形態においては、推奨スペックデータの出力の一例として、モニタ３０１またはプリンタの操作パネル部１２０に表示する場合について説明したが、オーディオ機器３０２の表示画面に表示したり、オーディオ機器から音声として出力しても構わない。
【産業上の利用可能性】
【００７５】
本発明に係る画像形成装置は、ユーザに対してその使用環境に即したスペックを提示するので、ユーザは提示されたスペックを新機種導入の参考にすることができ、極めて有用である。
【図面の簡単な説明】
【００７６】
【図１】実施の形態１に係るホームサーバシステム等の機能構成を示す図である。
【図２】記憶された使用履歴データ１７１を示すテーブルである。
【図３】記憶された使用履歴データ１７１を示すテーブルである。
【図４】使用履歴データの記録処理を示すフローチャートである。
【図５】製品スペックデータ１７２を示すテーブルである。
【図６】推奨スペック決定の処理内容を示すフローチャートである。
【図７】カラー／モノクロ推奨決定処理のサブルーチンを示すフローチャートである
【図８】４サイクル／タンデム，スループット推奨決定処理のサブルーチンを示すフローチャートである。
【図９】A4機／A3機対応推奨決定処理のサブルーチンを示すフローチャートである。
【図１０】他の項目の推奨決定処理のサブルーチンを示すフローチャートである。
【図１１】他の項目の推奨決定処理のサブルーチンを示すフローチャートである。
【図１２】推奨スペックデータ１７４の各項目に関する演算関係と、各項目のユーザ設定とを示すテーブルである。
【図１３】操作パネル部  における決定された推奨スペックの表示画面を示す。
【図１４】ファイル形式変換部１３０が実行する推奨スペックデータ１７４の変換処理を示す模式図である。
【図１５】WEBブラウザ２１０によりモニタ３０１に表示されたプリンタ検索サイト４００の表示画面を示す図である。
【図１６】モニタ３０１の表示画面を示す図である。
【図１７】実施の形態２に係るホームサーバシステム等の機能構成を示す図である。
【図１８】ホームサーバ２００が実行するスペックデータ受信処理、スペック比較処理、比較結果表示処理を示すフローチャートである。
【図１９】サブルーチンである実在製品のスペックデータ受信処理を示すフローチャートである。
【図２０】サブルーチンであるスペック比較処理を示すフローチャートである。
【図２１】プリンタの操作パネル上の表示画面を示す図である。
【図２２】プリンタメーカーサイト５００の表示画面を示す図である。
【符号の説明】
【００７７】
１００  プリンタ
１２０  操作パネル部
１３０  ファイル形式変換部
１４０  エンジン制御部
１５０  画像処理部
１６０  推奨スペック決定部
１６２  使用履歴更新部
１６４  タイミング決定部
１７０  記憶部
１７１  使用履歴データ
１７２  製品スペックデータ
１７４  推奨スペックデータ
２００  ホームサーバ
２１０  WEBブラウザ
２２０  検索クエリ作成部
３０１  モニタ
４００  プリンタ検索サイト
５００  プリンタメーカサイト
【図１】
2007196485.tif 000003
【図２】
2007196485.tif 000004
【図３】
2007196485.tif 000005
【図４】
2007196485.tif 000006
【図５】
2007196485.tif 000007
【図６】
2007196485.tif 000008
【図７】
2007196485.tif 000009
【図８】
2007196485.tif 000010
【図９】
2007196485.tif 000011
【図１０】
2007196485.tif 000012
【図１１】
2007196485.tif 000013
【図１２】
2007196485.tif 000014
【図１３】
2007196485.tif 000015
【図１４】
2007196485.tif 000016
【図１５】
2007196485.tif 000017
【図１６】
2007196485.tif 000018
【図１７】
2007196485.tif 000019
【図１８】
2007196485.tif 000020
【図１９】
2007196485.tif 000021
【図２０】
2007196485.tif 000022
【図２１】
2007196485.tif 000023
【図２２】
2007196485.tif 000024